(57)【要約】【課題】無線通信装置を備えた照明器具における無線通信の伝送特性の低下を抑える。【解決手段】本発明に係る照明器具（１〜５）は、ＬＥＤ発光ユニット（１３）を含む照明部（１１）と、無線通信を行う無線通信部（１２、４２）と、入力された交流電圧（ＶＡＣ）を直流電圧に変換して前記照明部及び前記無線通信部に供給するとともに、前記無線通信部に供給する直流電圧の電圧変動を抑制する電源部（１０、２０、３０、４０、５０）とを有する。  【選択図】図１
2015088402.tif 000002
【特許請求の範囲】
【請求項１】
発光ユニットを含む照明部と、
無線通信を行う無線通信部と、
入力された交流電圧を直流電圧に変換して前記照明部及び前記無線通信部に供給するとともに、前記無線通信部に供給する直流電圧の電圧変動を抑制する電源部と、
を備える照明器具。
【請求項２】
請求項１に記載された照明器具において、
前記電源部は、
前記交流電圧が供給される電源配線と、
前記電源配線に供給された前記交流電圧に基づいて直流電圧を生成し、前記照明部に供給する第１電源回路と、
前記電源配線に供給された前記交流電圧に基づいて直流電圧を生成し、前記無線通信部に供給する第２電源回路と、
前記電源配線と前記第１電源回路との間に設けられ、前記第１電源回路に供給する電流量を制限する突入電流抑制回路と、
を有することを特徴とする照明器具。
【請求項３】
請求項１に記載された照明器具において、
前記電源部は、
入力された前記交流電圧に基づいて直流電圧を生成する第１電源回路と、
前記第１電源回路によって生成された直流電圧を受ける電源配線と、
前記電源配線に供給された前記直流電圧を所定の電圧に変換し、前記照明部に供給する第２電源回路と、を有し、
前記無線通信部は、前記電源配線に供給された前記直流電圧に基づいて動作する
ことを特徴とする照明器具。
【請求項４】
請求項３に記載された照明器具において、
前記電源部は、
前記電源配線に供給された電圧を直流電圧に変換し、前記無線通信部に供給する第３電源回路をさらに有する
ことを特徴とする照明器具。
【請求項５】
請求項３又は４に記載された照明器具において、
前記電源配線は、データの送受信と電力の送電を可能にするより線対を含み、
前記第１電源回路は、生成した電圧を前記より線対に供給する
ことを特徴とする照明器具。
【請求項６】
請求項１乃至５の何れか１項に記載された照明器具において、
前記無線通信部は、外部の通信端末間の無線通信の中継を可能にする
ことを特徴とする照明器具。
【発明の詳細な説明】
【技術分野】
【０００１】
本発明は、照明器具に関し、特に、無線通信装置を備えた照明器具に関する。
【背景技術】
【０００２】
照明器具として、ＬＥＤ（Ｌｉｇｈｔ  Ｅｍｉｔｔｉｎｇ  Ｄｉｏｄｅ）発光ユニットを用いた照明器具（以下、「ＬＥＤ照明器具」とも称する。）が知られている。ＬＥＤ発光ユニットは、蛍光灯に代えてＬＥＤ等の半導体発光素子を光源とする。近年、ＬＥＤ発光ユニットに加えて無線通信装置を備えたＬＥＤ照明器具が増えつつある。
従来、このようなＬＥＤ照明器具で行われる無線通信は、主に赤外線リモコンやネットワークを介したコントローラとの間でＬＥＤの調光に関する情報をやり取りするものであり、その情報量は比較的少なく、ビットレートは低かった。このようなＬＥＤ照明器具の従来技術として、例えば特許文献１に開示がある。
【先行技術文献】
【特許文献】
【０００３】
【特許文献１】特開２０１０−２３８５７２号公報
【発明の概要】
【発明が解決しようとする課題】
【０００４】
本願発明者は、ＬＥＤ照明器具において、ＬＥＤの調光に関する情報のやり取りのみならず、例えば無線ＬＡＮ（Ｌｏｃａｌ  Ａｒｅａ  Ｎｅｔｗｏｒｋ）によるＩＰ（Ｉｎｔｅｒｎｅｔ  Ｐｒｏｔｏｃｏｌ）ネットワーク用の無線通信を可能にすることを検討した。検討の結果、以下の問題が明らかとされた。
【０００５】
ＩＰネットワーク用の無線通信を行うためには、高ビットレートの情報の送受信が可能な無線通信装置をＬＥＤ照明器具内に設置する必要があるが、このような無線通信装置は、ノイズによって通信品質が劣化しやすい。一方、ＬＥＤ照明器具は、ＬＥＤを点灯させる際にＬＥＤ発光ユニットに突入電流が流入する。この突入電流は急峻で振幅も大きいため、ノイズとなって周囲の電子機器に伝搬する。特に、突入電流によるノイズは、主に電源配線を介した電源ノイズとなって伝搬するため、分電盤からＬＥＤ発光ユニットと無線通信装置に電源を供給する宅内配線を共通にすると、ＬＥＤ発光ユニットの点灯時に発生する突入電流に起因する電源ノイズによって、無線回線が瞬断したり、無線通信のスループットが低下したりする等の問題がある。
このような問題は、点灯時に突入電流が流入する限り、ＬＥＤ以外の光源を用いた発光ユニットを備えた照明装置に共通するものである。
【０００６】
この問題の解決策として、分電盤から照明器具に電源を供給する宅内配線を発光ユニットと無線通信装置とで二系統に分ける手法も考えられるが、従来の照明器具に対して宅内配線の増設が必要となり、従来の照明器具からの置き換え等を考慮すると妥当な解決策とは言えない。
【０００７】
本発明の目的は、無線通信装置を備えた照明器具における無線通信の伝送特性の低下を抑えることにある。
【課題を解決するための手段】
【０００８】
本発明に係る照明器具（１〜５）は、発光ユニット（１３）を含む照明部（１１）と、無線通信を行う無線通信部（１２）と、入力された交流電圧（ＶＡＣ）を直流電圧に変換して前記照明部及び前記無線通信部に供給するとともに、前記無線通信部に供給する直流電圧の電圧変動を抑制する電源部（１０、２０、３０、４０、５０）とを有する。
【０００９】
また、本発明に係る照明器具（１）において、前記電源部（１０）は、前記交流電圧が供給される電源配線（ＬＮ＿ＡＣ）と、前記電源配線に供給された前記交流電圧に基づいて直流電圧を生成し前記照明部に供給する第１電源回路（１６）と、前記電源配線に供給された前記交流電圧に基づいて直流電圧を生成し前記無線通信部に供給する第２電源回路（１７）と、前記電源配線と前記第１電源回路との間に設けられ、前記第１電源回路に流入する電流量を制限する突入電流抑制回路（１５）とを有してもよい。
【００１０】
また、本発明に係る照明器具（２、３）において、前記電源部（２０、３０）は、入力された前記交流電圧に基づいて直流電圧を生成する第１電源回路（２３、３１）と、前記第１電源回路によって生成された直流電圧を受ける電源配線（ＬＮ＿ＬＡＮＰ、ＬＮ＿ＤＣ）と、前記電源配線に供給された前記直流電圧を所定の電圧に変換し前記照明部に供給する第２電源回路（２２、３２）とを有し、前記無線通信部は、前記電源配線に供給された電圧に基づいて動作する。更に前記電源部（３０）は、前記電源配線に供給された電圧を直流電圧に変換し前記無線通信部に供給する第３電源回路（３３）を有してもよい。
【００１１】
また、本発明に係る照明器具（２０）において、前記電源配線は、データの送受信と電力の送電が可能にされるより線対を含み、前記第１電源回路（２３）は、生成した電圧を前記より線対に供給してもよい。
【００１２】
さらに、本発明に係る照明器具（４，５）において、前記無線通信部（４２）は、外部の通信端末（９１、９２）間の無線通信の中継を可能にするものであってもよい。
【発明の効果】
【００１３】
本発明に係る照明器具によれば、無線通信の伝送特性の低下を抑えることができる。
【００１４】
また、上記照明器具のように、前記電源部（１０）が、前記交流電圧が供給される電源配線（ＬＮ＿ＡＣ）と、前記電源配線に供給された前記交流電圧に基づいて直流電圧を生成し前記照明部に供給する第１電源回路（１６）と、前記電源配線に供給された前記交流電圧に基づいて直流電圧を生成し前記無線通信部に供給する第２電源回路（１７）と、前記電源配線と前記第１電源回路との間に設けられ、前記第１電源回路に流入する電流量を制限する突入電流抑制回路（１５）とを有することにより、発光ユニットの点灯時の突入電流の発生を抑えることができるので、電源配線に供給される交流電圧の急峻な電圧変動を抑えることができ、無線通信部の電源電圧の安定化を図ることができる。これにより、発光ユニットの点灯時における無線通信の伝送特性の低下を抑えることができる。
【００１５】
また、上記照明器具のように、前記電源部（２０、３０）が、入力された前記交流電圧に基づいて直流電圧を生成する第１電源回路（２３、３１）と、前記第１電源回路によって生成された直流電圧を受ける電源配線（ＬＮ＿ＬＡＮＰ、ＬＮ＿ＤＣ）と、前記電源ラインに供給された前記直流電圧を所定の電圧に変換し前記照明部に供給する第２電源回路（２２、３２）とを有し、前記無線通信部は、前記電源配線からの給電により動作することにより、照明部と無線通信部とが、直流電源ラインによって共通に接続される構成となる。これによれば、従来のように照明部と無線通信部とを交流電源ラインによって共通に接続する場合に比べて、点灯時の突入電流に伴う電圧変動（ノイズ）が無線通信部の電源ラインに伝わりにくくなる。これにより、従来に比べて、点灯時の無線通信の伝送特性の低下を抑えることが可能となる。更に前記電源部（３０）が、前記電源配線に供給された電圧を直流電圧に変換し前記無線通信部に供給する第３電源回路（３３）を有することにより、第３電源回路を介して無線通信部に電源電圧が供給されるから、無線通信部の電源ラインへのノイズの伝搬を更に抑えることができる。
【００１６】
また、上記照明器具のように、前記電源配線（ＬＮ＿ＬＡＮＰ）が、データの送受信と電力の送電が可能にされるより線対を含んで構成され、前記第１電源回路（２３）が、生成した電圧を前記より線対に供給することにより、データを送受信するための信号線と電力を供給するための電源線とを別個に用意する必要がない。また、電源回路として、例えばＰｏＥ（Ｐｏｗｅｒ  ｏｖｅｒ  Ｅｔｈｅｒｎｅｔ（Ｅｔｈｅｒｎｅｔは登録商標。））電源装置を用いれば、無線通信部の起動と停止に連動した発光ユニットの点灯・消灯の制御が可能となる。
【００１７】
更に、上記照明器具のように、前記無線通信部（４２）を、複数の通信端末（９１、９２）間の無線通信の中継を可能にするように構成すれば、照明器具を周辺に障害物のない見通しの良い場所に設置することにより、複数の通信端末間で無線通信が可能となるエリアを拡大させることが容易となる。
【００１８】
なお、上記説明において括弧を付した参照符号は、図面における当該参照符号が示す構成要素の概念に含まれるものを例示するに過ぎない。
【図面の簡単な説明】
【００１９】
【図１】実施の形態１に係る照明器具の内部構成を例示するブロック図である。
【図２】実施の形態２に係る照明器具の内部構成を例示するブロック図である。
【図３】実施の形態３に係る照明器具の内部構成を例示するブロック図である。
【図４】実施の形態４に係る照明器具の内部構成を例示するブロック図である。
【図５】実施の形態５に係る照明器具の内部構成を例示するブロック図である。
【発明を実施するための形態】
【００２０】
本発明の実施の形態について詳述する。なお、各実施の形態において共通する構成要素には同一の符号を付して、その繰り返しの詳細な説明を省略する。
【００２１】
〔実施の形態１〕
【００２２】
図１は、本発明の実施の形態１に係る照明器具を例示するブロック図である。
【００２３】
同図に示される照明器具１は、例えばＬＥＤ照明器具である。照明器具１は、照明としての機能に加え、外部の通信端末との間で無線通信を行う機能を備える。具体的に、照明器具１は、照明部１１と、無線通信を行う無線通信部１２と、電源部１０とを備える。
【００２４】
照明部１１は、外部から供給された電力に基づいて光源となる発光素子を発光させるとともに、発せられる光の強さ等を調整する機能部であり、例えば、ＬＥＤ発光ユニット１３と調光制御部１４を含む。ＬＥＤ発光ユニット１３は、単数または複数のＬＥＤ素子と接続されるＬＥＤ素子用のソケットや周辺回路を備え、後述するＬＥＤ用電源回路１６によって生成された電力をこれらのＬＥＤ素子に供給することによってＬＥＤ素子を発光させる。また、照明器具の一部となる反射板や光を集光または拡散するレンズ等の光学素子等を含んでいてもよい。調光制御部１４は、例えば、複数のセンサを備え、各センサの検出結果に基づいて、ＬＥＤの点灯及び消灯の制御やＬＥＤの明るさの調整を行う。上記センサとしては、例えば、照明器具１の周辺に人間が存在するか否かを監視する人感センサや、周辺の明るさを検出する照度センサ等が挙げられる。また、ＬＥＤ発光ユニット１３に対する制御は、調光制御部１４がＬＥＤ発光ユニット１３を直接制御する構成としても良いし、ＬＥＤ用電源回路１６を介してＬＥＤ発光ユニット１３の電源電圧を制御することで、ＬＥＤの点灯及び消灯の制御や明るさの調整を行う構成としても良く、特に制限はない。
【００２５】
無線通信部１２は、例えば、高周波（ＲＦ：Ｒａｄｉｏ  Ｆｒｅｑｕｅｎｃｙ）回路を含み、後述する無線通信部用電源回路１７から電力の供給を受けて、外部の通信端末８０とアンテナ８を介した無線通信を行うことができる。上記無線通信としては、Ｂｌｕｅｔｏｏｔｈ（登録商標、以下同じ。）やＺｉｇＢｅｅ（登録商標、以下同じ。）等の近距離無線通信のほかに、無線ＬＡＮやテレメータ等による無線通信を例示することができる。また、無線通信部１２は、ＬＡＮインターフェースを備え、例えば、外部に設けられたルータ等のＩＰネットワーク機器７とＬＡＮケーブルＬＮ＿ＬＡＮによって接続される。これにより、ＩＰネットワーク機器７がデータサーバやインターネット回線に接続されていれば、通信端末８０は、無線通信部１２を介した無線通信によってＩＰネットワーク機器７を介してデータサーバやインターネット回線に接続することができる。
【００２６】
電源部１０は、例えば分電盤６から宅内配線を介して入力された交流電圧ＶＡＣを直流電圧に変換して照明部１１及び無線通信部１２に供給するとともに、無線通信部１２に供給する直流電圧の電圧変動を抑制する。具体的に、電源部１０は、電源配線ＬＮ＿ＡＣと、突入電流抑制回路１５と、ＬＥＤ用電源回路１６と、無線通信用電源回路１７と、を含む。
電源配線ＬＮ＿ＡＣは、例えば商用電源の分電盤６から宅内配線を介して供給された交流電圧ＶＡＣ（例えば、ＡＣ１００Ｖ、５０Ｈｚ／６０Ｈｚ）の供給を受ける配線である。
【００２７】
ＬＥＤ用電源回路１６は、電源配線ＬＮ＿ＡＣに供給された交流電圧に基づいて直流電圧を生成し、電源電圧として照明部１１に供給するＡＣ／ＤＣコンバータである。特に図示はしないが、当該ＡＣ／ＤＣコンバータは、例えば、交流電圧を整流する整流回路（例えばダイオードブリッジ回路）と、整流された電圧（脈流電圧）を平滑化する平滑化容量と、平滑化された直流電圧を所望の大きさの直流電圧に変換するスイッチングレギュレータ等のＤＣ／ＤＣコンバータ等から構成することができる。
【００２８】
無線通信部用電源回路１７は、電源配線ＬＮ＿ＡＣに供給された交流電圧ＶＡＣに基づいて直流電圧を生成し、電源電圧として無線通信部１２に供給するＡＣ／ＤＣコンバータである。前述のＬＥＤ用電源回路１６と同様に、無線通信部用電源回路１７は、整流回路、平滑化容量、及びＤＣ／ＤＣコンバータ等から構成することができる。
突入電流抑制回路１５は、電源配線ＬＮ＿ＡＣとＬＥＤ用電源回路１６との間に設けられ、換言すると、突入電流抑制回路１５は、電源配線ＬＮ＿ＡＣからＬＥＤ用電源回路１６に至る電源供給経路に直列に挿入され、ＬＥＤ用電源回路１６に供給する電流量を制限する制御回路である。例えば、ＬＥＤ発光ユニット１３のＬＥＤ素子を消灯状態から点灯させる時（ＬＥＤ発光ユニットへの電源投入時）、ＬＥＤ用電源回路１６内の大容量コンデンサ（例えば平滑化容量）を充電するために、電源配線ＬＮ＿ＡＣからＬＥＤ電源回路１６に向かって大電流（突入電流）が流入する。突入電流抑制回路１５は、この突入電流を低減する回路である。なお、突入電流抑制回路１５は、電源配線ＬＮ＿ＡＣからＬＥＤ用電源回路１６に流れ込む電流を制限することができる構成であれば、その回路構成に特に制限はない。
【００２９】
上記のように、電源配線ＬＮ＿ＡＣとＬＥＤ用電源回路１６との間に突入電流抑制回路１５を設けることにより、ＬＥＤ発光ユニット１３の点灯時の突入電流の発生が抑えられるので、電源配線ＬＮ＿ＡＣに供給される交流電圧ＶＡＣの急峻な電圧変動を抑えることができる。これにより、交流電圧ＶＡＣから無線通信部用電源回路１７を介して無線通信部１２の電源ラインに伝搬するノイズ（電源ノイズ）を抑えることができる。すなわち、無線通信部１２の電源電圧の安定化を図ることができる。
【００３０】
以上、実施の形態１に係る照明器具によれば、ＬＥＤの点灯時の突入電流に起因するノイズの発生を抑えることができるので、ＬＥＤ発光ユニットと無線通信部を照明器具内に併設しても、無線通信部による無線通信の伝送特性の低下を抑えることができる。例えば、人感センサや照度センサ等により頻繁にＬＥＤ発光ユニットがオン・オフされる場合であっても、突入電流に起因するノイズの発生を抑えることができるので、無線通信部に与えるノイズを低減することができ、無線回線の瞬断やスループットの低下を改善することができる。また、本照明器具によれば、分電盤から照明器具に電源を供給する宅内配線をＬＥＤ発光ユニットと無線通信装置で二系統に分ける必要がないので、宅内配線の増設等が不要となり、既存の照明器具からの置き換えが容易となる。
【００３１】
〔実施の形態２〕
図２は、実施の形態２に係る照明器具の内部構成を例示するブロック図である。
同図に示される照明器具２は、電源部２０が次のような構成を有する点で実施の形態１に係る照明器具１と相違する一方、電源部２０以外の構成は、照明器具１と同様である。以下の説明においては、実施の形態１に係る照明器具１と共通する構成要素については同一の符号を用いて表し、その詳細な説明は省略する。
【００３２】
具体的に、実施の形態２に係る照明器具の電源部２０は、主電源回路２１と、電力供給回路２３と、配線ＬＮ＿ＤＣと、配線ＬＮ＿ＬＡＮＰと、ＬＥＤ用電源回路２２とを含む。
【００３３】
主電源回路２１は、分電盤６から電源配線ＬＮ＿ＡＣに供給された交流電圧ＶＡＣに基づいて直流電圧を生成し、配線ＬＮ＿ＤＣに供給するＡＣ／ＤＣコンバータである。なお、参照符号ＬＮ＿ＤＣは配線のみならず、その配線に供給された直流電圧をも表すものとする。電力供給回路２３は、配線ＬＮ＿ＤＣに供給された直流電圧ＬＮ＿ＤＣに基づいて、所望の大きさの直流電圧を生成する。電力供給回路２３は、例えばＰｏＥ電源装置であり、ＩＰネットワーク機器７との間でＬＡＮケーブルＬＮ＿ＬＡＮを介したデータの送受信を行うとともに、直流電圧ＬＮ＿ＤＣに基づいて所望の大きさの直流電圧を生成し、生成した直流電圧を送受信データとともに配線ＬＮ＿ＬＡＮＰに出力する。
配線ＬＮ＿ＬＡＮＰは、データの送受信と電力の送電が可能なより線対（例えばＬＡＮケーブル）を含み、電力供給回路２３と無線通信部１２とを接続する。
電力供給回路２３は、より線対からなる配線ＬＮ＿ＬＡＮＰに生成した直流電圧及び送受信データを送出する。これにより、電力供給回路２３と無線通信部１２とは、配線ＬＮ＿ＬＡＮＰのみによって、電力の送受電とデータの送受信が可能となる。
【００３４】
また、配線ＬＮ＿ＬＡＮＰは、電力供給回路２３とＬＥＤ用電源回路２２とを接続する。ＬＥＤ用電源回路２２は、例えば、内部に設けられたフィルタ回路等を介して配線ＬＮ＿ＬＡＮＰから直流電圧を取出し、その直流電圧を所望の電圧に変換し、照明部１１の電源電圧として出力するＤＣ／ＤＣコンバータである。ＬＥＤ用電源回路２２は、例えば、スイッチングレギュレータやシリーズレギュレータなどから構成することができる。
【００３５】
上記のように、電源部２０は、分電盤６から供給された交流電圧ＶＡＣを直流電圧に変換した上で照明部１１と無線通信部１２に夫々供給する構成を有する。したがって、照明部２２と無線通信部１２とが直流電源ライン（ＬＮ＿ＬＡＮＰ）によって共通に接続されるので、従来のように照明部２２と無線通信部１２とを交流電源ラインによって共通に接続する構成に比べて、ＬＥＤ点灯時の突入電流に伴う電圧変動（ノイズ）が無線通信部１２の電源経路に伝わりにくくなる。これにより、従来に比べて、ＬＥＤ点灯時の無線通信の伝送特性の低下を抑えることが可能となる。
【００３６】
以上、実施の形態２に係る照明器具によれば、実施の形態１に係る照明器具と同様に、無線通信部による無線通信の伝送特性の低下を抑えることができ、かつ、既存の照明器具からの置き換えが容易となる。更に、電力供給回路２３をＰｏＥ電源装置とし、配線ＬＮ＿ＬＡＮＰをＬＡＮケーブル等のより線対で構成することにより、データを送受信するための信号線と電力を供給するための電源線とを別個に用意する必要がない。また、ＰｏＥ電源装置を用いることで、無線通信部の起動及び停止に連動したＬＥＤ発光ユニットの点灯・消灯の制御が可能となる。
【００３７】
〔実施の形態３〕
図３は、実施の形態３に係る照明器具３の内部構成を例示するブロック図である。
同図に示される照明器具３は、電源部３０が次のような構成を有する点で実施の形態１に係る照明器具１と相違する一方、電源部３０以外の構成は、実施の形態１に係る照明器具１と同様である。以下の説明においては、実施の形態１に係る照明器具１と共通する構成要素については同一の符号を用いて表し、その詳細な説明は省略する。
【００３８】
具体的に、実施の形態３に係る照明器具３の電源部３０は、主電源回路３１と、電源配線ＬＮ＿ＤＣと、ＬＥＤ用電源回路３２と、無線通信用電源回路３３とを含む。
【００３９】
主電源回路３１は、分電盤６から配線ＬＮ＿ＡＣに供給された交流電圧ＶＡＣに基づいて直流電圧を生成し、電源配線ＬＮ＿ＤＣに出力するＡＣ／ＤＣコンバータである。
ＬＥＤ用電源回路３２は、電源配線ＬＮ＿ＤＣに供給された直流電圧に基づいて、所望の大きさの直流電圧を生成するＤＣ／ＤＣコンバータである。ＬＥＤ用電源回路２２は、例えば、スイッチングレギュレータやシリーズレギュレータなどから構成することができる。ＬＥＤ用電源回路２２によって生成された電圧は、電源電圧として照明部１１に供給される。
【００４０】
無線通信部用電源回路３３は、電源配線ＬＮ＿ＤＣに供給された直流電圧に基づいて、所望の大きさの直流電圧を生成するＤＣ／ＤＣコンバータである。無線通信部用電源回路３３は、例えば、スイッチングレギュレータやシリーズレギュレータなどから構成することができる。無線通信部用電源回路３３によって生成された電圧は、電源電圧として無線通信部１２に供給される。
【００４１】
上記のように、電源部３０は、分電盤６から供給された交流電圧ＶＡＣを直流電圧に変換した上で照明部１１と無線通信部１２に夫々供給する構成とされる。実施の形態３に係る照明装置によれば、照明部１１と無線通信部１２とが直流電源ライン（ＬＮ＿ＤＣ）によって共通に接続される構成となるので、実施の形態２に係る電源部と同様に、従来に比べて、ＬＥＤ点灯時の突入電流に伴う電圧変動（ノイズ）が無線通信部１２の電源ラインに伝わりにくくなるから、ＬＥＤ点灯時の無線通信の伝送特性の低下を抑えることができる。
【００４２】
また、電源部３０においては、電源配線ＬＮ＿ＤＣの電圧を電源として無線通信部１２に直接供給するのではなく、電源回路３３を介して無線通信部１２に電源を供給するから、無線通信部１２の電源ラインへのノイズの伝搬を更に抑えることができる。
【００４３】
以上、実施の形態３に係る照明器具によれば、実施の形態１に係る照明器具と同様に、無線通信部による無線通信の伝送特性の低下を抑えることができ、かつ、既存の照明器具からの置き換えが容易となる。
【００４４】
〔実施の形態４〕
図４は、実施の形態４に係る照明器具の内部構成を例示するブロック図である。
同図に示される照明器具４は、無線通信部として無線ＬＡＮアクセスポイントを備える点で、実施の形態１に係る照明器具１と相違する一方、その他の構成は、照明器具１と同様である。以下の説明においては、実施の形態１に係る照明器具１と共通する構成要素については同一の符号を用いて表し、その詳細な説明は省略する。
【００４５】
無線ＬＡＮアクセスポイント４２は、複数の通信端末間の無線通信の中継を可能にする中継器である。例えば、無線ＬＡＮアクセスポイント４２は、アンテナ９を介して、照明器具４の外部に存在する通信端末９１と通信端末９２との間の無線ＬＡＮによる通信を中継する。例えば、通信端末９１がプリンタ、通信端末９２がＰＣである場合、プリントアウトしたいデータをＰＣから無線ＬＡＮアクセスポイント４２を経由してプリンタに送信することができる。また、ＩＰネットワーク機器７がデータサーバやインターネット回線に接続されることで、通信端末９１、９２が無線ＬＡＮアクセスポイント４２を経由してデータサーバやインターネット回線に接続することができる。
【００４６】
実施の形態４に係る照明器具によれば、実施の形態１に係る照明器具１と同様に、無線ＬＡＮアクセスポイントを経由した通信端末間の無線通信の伝送特性の低下を抑えることができる。また、照明器具は、一般に、周辺に障害物のない見通しの良い場所に設置されることが通常であるから、照明器具に無線ＬＡＮアクセスポイントを内蔵することで、無線通信が可能となるエリアを拡大させることが容易となる。すなわち、無線ＬＡＮアクセスポイントを単独で天井等の見通しの良い場所に設置することは困難であるが、本実施の形態のように、照明器具の内部に発光ユニットとともに無線ＬＡＮアクセスポイントを併設することで、容易に通信エリアの拡大と通信品質の向上を図ることができる。
【００４７】
〔実施の形態５〕
図５は、実施の形態５に係る照明器具の内部構成を例示するブロック図である。
同図に示される照明器具５は、ＨＵＢに接続された２つの無線通信部を備え、夫々の無線通信部に対応して電源回路を設ける点で、実施の形態３に係る照明器具３と相違する一方、その他の構成は、照明器具３と同様である。以下の説明においては、実施の形態３に係る照明器具３と共通する構成要素については同一の符号を用いて表し、その詳細な説明は省略する。
【００４８】
図５に示される照明器具５において、無線通信部１２は、例えば、Ｚｉｇｂｅｅ等の近距離無線通信を行うための通信装置である。一方、無線通信部４２は、例えば無線ＬＡＮによる無線通信を行うための無線ＬＡＮアクセスポイントである。無線通信部１２及び無線通信部４２は、ＨＵＢ５１を介して外部のＩＰネットワーク機器７に接続することができる。
【００４９】
電源部５０は、主電源回路３１、電源配線ＬＮ＿ＤＣ、ＬＥＤ用電源回路３２、無線通信用電源回路５３、５４を含む。
主電源回路３１は、分電盤６から配線ＬＮ＿ＡＣに供給された交流電圧ＶＡＣに基づいて直流電圧を生成するＡＣ／ＤＣコンバータである。主電源回路３１は、生成した直流電圧を、電源配線ＬＮ＿ＤＣを介してＬＥＤ用電源３２及び無線通信用電源回路５３、５４に夫々供給する。
【００５０】
無線通信部用電源回路５３、５４は、電源配線ＬＮ＿ＤＣに供給された直流電圧に基づいて、所望の大きさの直流電圧を夫々生成するＤＣ／ＤＣコンバータである。無線通信部用電源回路５３によって生成された電圧は電源として無線通信部１２に供給され、無線通信部用電源回路５４によって生成された電圧は電源として無線通信部４２に供給される。無線通信部用電源回路５３、５４は、例えば、スイッチングレギュレータやシリーズレギュレータなどから構成することができる。
【００５１】
電源部５０においては、電源配線ＬＮ＿ＤＣの電圧を電源として無線通信部１２、４２に直接供給するのではなく、電源回路５３、５４を介して無線通信部１２、４２に電源を供給するので、無線通信部１２、４２の電源ラインへのノイズの伝搬を抑えることができる。
【００５２】
以上、実施の形態５に係る照明器具によれば、実施の形態３に係る照明器具３と同様に、無線通信部１２、４２の電源ラインへのノイズの伝搬を抑えることができ、無線通信部１２，４２を経由した通信端末間の無線通信の伝送特性の低下を抑えることができる。
以上、本願発明者によってなされた発明を実施の形態に基づいて具体的に説明したが、本発明はそれに限定されるものではなく、その要旨を逸脱しない範囲において種々変更可能である。
【００５３】
例えば、実施の形態１乃至５において、電源部１０乃至５０をＬＥＤ発光ユニットを備えた照明器具に適用する場合を例示したが、点灯時に突入電流が発生する照明器具であれば、ＬＥＤ以外の発光ユニットを備えた照明器具にも同様に適用することができる。
【００５４】
また、実施の形態１において、交流電圧ＶＡＣを突入電流抑制回路１５の手前（前段）から無線通信部用電源回路１７に供給する構成を例示したが、突入電流抑制回路１５の後段から無線通信部用電源回路１７に供給する構成としても良い。
【００５５】
また、実施の形態２において、電源回路２１としてのＰｏＥ電源装置を照明器具２の内部に設ける構成を例示したが、ＰｏＥ電源装置を照明器具２の外部に設け、ＬＡＮケーブルによってＰｏＥ電源装置と照明器具２とを接続する構成としても良い。
【００５６】
また、実施の形態５において、無線通信部毎に電源回路５３、５４を設ける構成を例示したが、１つの電源回路から２つの無線通信部１２、４２に共通に電源電圧を供給する構成としても良い。
【符号の説明】
【００５７】
１、２、３、４、５…照明器具、６…分電盤、７…ＩＰネットワーク機器、８、９…アンテナ、１０…電源部、１１…照明部、１２、４２…無線通信部、１３…ＬＥＤ発光ユニット、１４…調光制御部、１５…突入電流抑制回路、１６、２２、３２…ＬＥＤ用電源回路、１７、３３、５３、５４…無線通信用電源回路、２１…主電源回路（ＡＣ／ＤＣ電源装置）、２３…電力供給回路（ＰｏＥ電源装置）、３１…主電源回路、ＬＮ＿ＡＣ、ＬＮ＿ＤＣ…電源配線、ＬＮ＿ＬＡＮ…ＬＡＮケーブル、ＶＡＣ…交流電圧、ＬＮ＿ＤＣ…配線、ＬＮ＿ＬＡＮＰ…配線（より線対）、５１…ＨＵＢ、８０、９１、９２…通信端末。
【図１】
2015088402.tif 000003
【図２】
2015088402.tif 000004
【図３】
2015088402.tif 000005
【図４】
2015088402.tif 000006
【図５】
2015088402.tif 000007